(57)【要約】【課題】本発明の課題は、重度の嚥下障害、褥瘡予防、呼吸器障害のため、ベッド上やリクライニング車椅子上でうつ伏せや横向きになった状態で、長時間姿勢を崩れにくくし、被介護者の身体的負担と介護者の姿勢調整負担を軽減することができる身体支持クッションを提供することである。【解決手段】本発明に係る身体支持クッションは、伸縮生地と非伸縮生地を重ね合わせ、袋状をなし、長手方向を縫製し２分括にし、一方に発泡ビーズ等の中材を充填した形状からなる。上記発明において、充填部の伸縮生地と非伸縮生地の割合を変えることにより、充填部の形状が崩れにくくなったり、充填部の形状が変形しやすくなったりできる。また、充填剤の入っていない生地部を身体の下に敷くことにより、身体支持クッションがずれにくくなる。【選択図】図１
2017074300.tif 000002
【特許請求の範囲】
【請求項１】
伸縮生地と非伸縮生地とで袋状をなし、長手方向を２分括し、一方に発泡ビーズ等の中材を充填しクッション性を保ち、他方の生地部を身体の下に敷くことで、身体のずれを防ぐ身体支持クッション。
【請求項２】
発泡ビーズ等の充填部分の伸縮生地と非伸縮生地の割合を変えた構造となることを特徴とする請求項１に記載の身体支持クッション。
【発明の詳細な説明】
【技術分野】
【０００１】
本発明は、ベッド上やリクライニング車椅子上でうつ伏せや横向きになった状態で、頭部から下肢にかけての身体または一部を支持する身体支持クッションに関する。
【背景技術】
【０００２】
重度の嚥下障害の場合、誤嚥しにくい姿勢に側臥位や半側臥位を取らせることがある。重度の呼吸器障害の場合、呼吸をしやすくするための姿勢に腹臥位や前傾側臥位がある。内視鏡検査、超音波検査などでは診察台上で側臥位をとり検査を行っている。
さらに、医療、介護現場では褥瘡予防などで腹臥位や側臥位、半側臥位の姿勢をとっている。これらの腹臥位、前傾側臥位、側臥位、半側臥位をうつ伏せや横向きと表現する。ベッド上やリクライニング車椅子上でうつ伏せや横向きをとらせるとき、クッションや枕、タオル等を上肢、胸部、背面、腰部、下肢にあてがい姿勢を調整し身体を支持している。クッション素材には、ウレタンなどの非流動性素材や発泡ビーズなどの流動性素材が使用されている。
【０００３】
先行特許文献では枕と枕から延在する敷物で構成された身体支持クッションにおいて、枕部のエアーの調整により椅子と身体の隙間を埋め、敷物を身体と椅子の間に入れることにより枕のずれ防止が提案されている。
【先行技術文献】
【特許文献】
【０００４】
【特許文献１】特開2008-272058号公報
【発明の概要】
【発明が解決しようとする課題】
【０００５】
しかしながら、特許文献１に提案されている枕にはエアークッションを使用しているため、頭部から下肢にかけての広範囲では必要な部位の高さ調整はしにくく、エアーの流動性から身体の動きに反応し変形するため不安定である。
【０００６】
重度の嚥下障害の場合、飲み込みやすくするために横向きを取らせることがある。重度の呼吸器障害の場合、呼吸をしやすくするための姿勢にうつ伏せの姿勢がある。さらに、医療、介護現場では褥瘡予防などでうつ伏せや横向きの姿勢をとる。これらは長時間同じ姿勢をとっており、身体の動きにより、時間とともにクッションがずれたり、高さや厚みが変わったりし、上肢、胸部、背面、腰部、下肢各部位の高さや厚みを調整するため、姿勢を直さなければならない。また、背中や腰が曲がった方には、高さや厚みが異なった複数のクッションが必要となる。
【０００７】
うつ伏せや横向きの姿勢を支持するための通常のクッションは筒形状の袋にクッション部材を内包し、上肢、胸部、背面、腰部、下肢にあてがったり、上肢、胸部、背面、腰部、下肢各部に個別に筒形状やくさび形状のクッションをあてがったりしている。これらの場合、長時間ベッド上で横たわっていると身体の動きにより、時間とともにクッションの高さが変わったり、動いたりする。
【０００８】
本発明は、頭部から下肢にかけて必要な箇所の高さや厚みを調整できることと、長時間でもずれないクッションを提供することである。
【課題を解決するための手段】
【０００９】
上記課題を達成するため本発明の身体支持クッションは、伸縮生地と非伸縮生地を重ね合わせ、袋状をなし、長手方向を縫製で２分括にし、一方に発泡ビーズ等の中材を充填し、頭部から下肢にかけて必要な箇所の高さや厚みを調整できる。他方の中材の入っていない生地部を身体の下に敷くと、自分の体重が重しとなり、クッションがずれることを防止できる。
【００１０】
図4のように、中材充填部の伸縮生地と非伸縮生地の割合をかえ、縫製した形状が特徴であり、非伸縮生地の割合を多くすると伸縮生地の伸びによる変形がしにくくなり、ビーズが流動しにくく形が崩れにくくなる。
【００１１】
また、図５のように長手方向の、必要な箇所だけ中材を充填する部位の伸縮生地と非伸縮生地の割合を変え、変形しにくい場所と変形しやすい場所を縫製段階で決めることができる。
【００１２】
中材を充填する部位の伸縮生地と非伸縮生地の割合を変え縫製し、図６のように非伸縮生地を身体側に、中材の入っていない生地部を身体の下に敷いた状態で、伸縮生地を引っ張った場合、非伸縮生地が身体に密着し身体を支持する。この時、伸縮生地の量が多いほど、同じ容積でも、高さや厚みの変形量が多くなる。
【００１３】
中材に発泡ビーズなどの変形しやすい素材を入れると背中や腰など曲がった部位にも、伸縮生地が伸びしわが生じにくくなり、非伸縮生地側を身体に密着させることができる。伸縮生地を引っ張り、局所的にビーズを移動させ高さを調整できる。
【発明の効果】
【００１４】
本発明の身体支持クッションによれば、重度の嚥下障害や重度の呼吸器障害、褥瘡予防、内視鏡検査、超音波検査などに作られる姿勢の側臥位や半側臥位、前傾側臥位、腹臥位をとらせるとき、高さや厚みを調整でき、長時間の姿勢でもクッションがずれにくくなり、介護者の姿勢調整の負担が軽減でき、被介護者にとっても楽な姿勢を保てることができ、被介護者にとっても負担を軽減することができる。
【図面の簡単な説明】
【００１５】
【図１】図１は中材充填部の非伸縮生地の割合が多い身体支持クッションの左右中央を通る縦断面図である。
【図２】図２は身体支持クッションの斜視図を示した図面代用写真である。
【図３】図３は中材充填部の非伸縮生地の割合が多い身体支持クッションの表裏の形状を示した図面代用写真である。
【図４】図４は発泡ビーズ等の充填部の伸縮生地と非伸縮生地を短手方向に一定の割合で変えた側面の図面代用写真である。
【図５】図５は発泡ビーズ等の充填部の伸縮生地の一部を非伸縮生地に置き換え、調整が可能な箇所と変形しにくい箇所を設定した図面代用写真である。
【図６】図６は身体支持クッションを使用した側臥位である（実施例１）。
【図７】図７は身体支持クッションを重度の呼吸器障害者が呼吸をしやすくするための前傾側臥位で使用した例である（実施例２）。
【発明を実施するための形態】
【００１６】
以下、本発明に係る身体支持クッションの発明を実施するための形態について図を基に説明する。図６は、褥瘡予防や嚥下障害者が飲み込みやすい姿勢、内視鏡検査、超音波検査などの横向きの姿勢を取らす姿勢である。中材充填部の非伸縮生地の割合が多いクッションの非伸縮生地面を背面に当て、中材の入っていない生地部をベッドと身体の間に入れると被介護者の体重が中材の入っていない生地部にかかり、中材充填部は動きにくくなる、この時背面から、非伸縮生地に圧力がかかると伸縮生地が伸び、非伸縮生地は身体に密着するようにビーズが移動し、中材充填部は体から離れにくくなり、長時間安定した横向きの姿勢を支持することができる。また、中材充填部の伸縮生地を引っ張ると充填材が移動し、身体の傾きや高さを調整することができる。
【００１７】
図７は、呼吸器障害の方が呼吸をしやすくするために、中材充填部上に半身の上肢、胸部、腰部、下肢を乗せたうつ伏せの姿勢であり、この姿勢は、中材の入っていない生地部と中材充填部に身体が乗っている。中材充填部上の身体や中材の入っていない生地部上の身体が動いても、中材充填部は中材の入っていない生地部とつながっているため、中材の入っていない生地部上の身体が重しとなり、身体支持クッション自体は動きにくくなり、長時間安定した姿勢を支持することができる。また、中材充填部上の必要な部位の伸縮生地を引っ張るとビーズが移動し、その部位だけの高さが低くなる。
【産業上の利用可能性】
【００１８】
本発明の身体支持クッションは、病院内の医療分野、退院後の福祉施設や在宅などの介護分野で誤嚥しにくい姿勢、褥瘡になりにくい姿勢、呼吸のしやすい姿勢を調整でき、産業上の利用可能性がある。
【符号の説明】
【００１９】
１０     非伸縮生地
１１    伸縮生地
１２    中材
１００  中材充填部
１０１  中材の入っていない生地部    
【図１】
2017074300.tif 000003
【図２】
2017074300.tif 000004
【図３】
2017074300.tif 000005
【図４】
2017074300.tif 000006
【図５】
2017074300.tif 000007
【図６】
2017074300.tif 000008
【図７】
2017074300.tif 000009